(57)【特許請求の範囲】
【請求項１】
背上げ可能なベッドでの使用に適したマットレスであり、クッション部を側地で覆った構成のマットレスにおいて、使用者の背部に対応する部分にのみ、クッション部の上面と側地間に、滑性を有するシートが介装されていることを特徴とするマットレス。
【請求項２】
背上げ可能なベッドでの使用に適したマットレスであり、クッション部を側地で覆った構成のマットレスにおいて、使用者の踵に対応する部分にのみ、クッション部の上面と側地間に、滑性を有するシートが介装されていることを特徴とするマットレス。
【請求項３】
背上げ可能なベッドでの使用に適したマットレスであり、クッション部を側地で覆った構成のマットレスにおいて、使用者の背部と踵に対応する部分にのみ、クッション部の上面と側地間に、滑性を有するシートが介装されていることを特徴とするマットレス。
【請求項４】
使用者の腰部に対応する部分にのみ、クッション部の上面と側地間に防滑性を有するシートが介装されていることを特徴とする請求項１〜３のいずれか１項に記載のマットレス。
【請求項５】
滑性を有するシートは、クッション部又は側地のいずれか一方側に固定することを特徴とする請求項１〜４のいずれか１項に記載のマットレス。
【請求項６】
滑性を有するシートは、袋状に形成し、クッション部に、その端部側から嵌合して固定することを特徴とする請求項１〜４のいずれか１項に記載のマットレス。
【請求項７】
滑性を有するシートは、無端帯状に形成し、クッション部に嵌合して固定することを特徴とする請求項１〜４のいずれか１項に記載のマットレス。
【請求項８】
滑性を有するシートは、クッション部側と側地側に対応する複数枚のシート部が重ねられていることを特徴とする請求項１〜７までのいずれか１項に記載のマットレス。
【請求項９】
複数枚のシート部が、クッション部側又は側地側に固定されていることを特徴とする請求項８に記載のマットレス。
【請求項１０】
滑性を有するシートは通気性を有することを特徴とする請求項１〜９までのいずれか１項に記載のマットレス。
【請求項１１】
滑性を有するシートは、布であることを特徴とする請求項１０に記載のマットレス。
【請求項１２】
滑性を有するシートは、非通気性又は難通気性のシートに通気孔を形成したものであることを特徴とする請求項１０に記載のマットレス。
【請求項１３】
滑性を有するシートの通気性は、側地の通気性よりも大きく構成したことを特徴とする請求項１０〜１２までのいずれか１項に記載のマットレス。
【請求項１４】
背上げ可能なベッドでの使用に適したマットレスであり、クッション部を側地で覆った構成のマットレスにおいて、使用者の背部又は踵に対応する部分の少なくとも一つの部分において、クッション部の上面と側地間に、それによって使用者の背部又は踵の部分が低摩擦でずれるシートが介装されていることを特徴とするマットレス。
【発明の詳細な説明】
【技術分野】
【０００１】
本発明はマットレス、特に、背上げ可能なベッドでの使用に適するマットレスに関する。
【背景技術】
【０００２】
例えば、図８に示すように、背上げ可能なベッドの背上げ動作により、使用者１０の背部を持ち上げて起きあがらせる際、マットレス１１は、クッション部１２の、屈曲する部位１３の上面側が圧縮されて長手方向に短縮するため、図中矢印で示すように使用者の背部を下半身方向に押圧する力が生じる。また、このようにクッション部１２の屈曲する部位１３の上面側が圧縮されて短縮するため、この部位において側地１４が弛み、皺１５が生じて寝心地が悪化する。
【０００３】
上述した押圧力によって、使用者は圧迫され、また足方向にずらされて、マットレスの上面との間に摩擦力が作用するため、身体の部位、特に、背部や踵の部位において、褥瘡発生の要因となる。
【０００４】
そこで、このような使用者に加わる力の発生を軽減するために従来から各種の対策が提案されている。
【０００５】
例えば特許文献１は、ベッドの背上げ機構を工夫し、背上げ動作において背床部を上方にスライドさせることにより、使用者に加わる力の軽減を図るものである。しかしながら、このようにベッドの背上げ機構を工夫しての対策では、特殊な構造のベッドが必要となり、既存のベッドに利用することができないという欠点がある。
【０００６】
次に特許文献２は、マットレスのクッション部を、積層された複数のマット層から構成すると共に、上半身側において、隣接するマット層の間に、ポリエステル、ポリエチレン等の合成樹脂から成るシート材による滑り部材を介装し、この滑り部材によって、隣接するマット層を相対的にずれ動かすことにより使用者に加わる力の軽減を図るものである。しかしながら、この提案の場合には、クッション部自体の構造が、積層された複数のマット層を有するものに限定され、既存の種々のクッション部を利用することができないという欠点がある。
【０００７】
また特許文献３は、マットレスの少なくとも上面を覆うように構成したカバーに、滑性を有するシートを設け、背上げ動作において使用者の背部がシートによって低摩擦でずれることにより、使用者に加わる力の軽減を図るものである。しかしながら、この場合には、滑性を有するシートを設けたカバーは、マットレスと別部材であるため、取り扱いが面倒であると共に、マットレス自体は、クッション部の屈曲する部位の上面側が圧縮されて長手方向に短縮することにより、その部位において側地が弛んで皺が生じるため、皺による寝心地の悪化を生じてしまう。
【先行技術文献】
【特許文献】
【０００８】
【特許文献１】特許第３０１２７８１号公報
【特許文献２】特開２０１０−１１５４４０号公報
【特許文献３】特開平９−２６６８２９号公報
【発明の概要】
【発明が解決しようとする課題】
【０００９】
本発明では、上述したような従来の技術に鑑みて創案されたもので、特殊な背上げ機構は不要であり、また各種のクッション部の選択も可能であり、しかもマットレスとして一体に構成されて、背上げ動作における使用者に加わる力を軽減することができるマットレスを提供することを課題とするものである。
【課題を解決するための手段】
【００１０】
上述した課題を解決するために本発明では、まず、背上げ可能なベッドでの使用に適したマットレスであり、クッション部を側地で覆った構成のマットレスにおいて、使用者の背部に対応する部分又は使用者の踵に対応する部分のいずれか一方側にのみ、クッション部の上面と側地間に、滑性を有するシートが介装されているマットレスを提案する。
【００１１】
また本発明では、背上げ可能なベッドでの使用に適したマットレスであり、クッション部を側地で覆った構成のマットレスにおいて、使用者の背部と踵に対応する部分にのみ、クッション部の上面と側地間に、滑性を有するシートが介装されているマットレスを提案する。
【００１２】
また本発明では、以上の構成のマットレスにおいて、使用者の腰部に対応する部分にのみ、クッション部の上面と側地間に、防滑性を有するシートが介装されているマットレスを提案する。
【００１３】
また本発明では、以上の構成のマットレスにおいて、滑性を有するシートは、クッション部又は側地のいずれか一方側に固定することを提案する。
【００１４】
また本発明では、以上の構成にマットレスにおいて、滑性を有するシートは、袋状に形成し、クッション部に、その端部側から嵌合して固定すること、又は無端帯状に形成し、クッション部に嵌合して固定することを提案する。
【００１５】
また本発明では、以上の構成のマットレスにおいて、滑性を有するシートは、クッション部側と側地側に対応する２枚のシート部が重ねられている構成とすることを提案する。そして本発明では、上記複数枚のシート部が、クッション部側又は側地側に固定されている構成とすることを提案する。
【００１６】
また本発明では、背上げ可能なベッドでの使用に適したマットレスであり、クッション部を側地で覆った構成のマットレスにおいて、使用者の背部又は踵に対応する部分の少なくとも一つの部分において、クッション部の上面と側地間に、それによって使用者の背部又は踵の部分が低摩擦でずれるシートが介装されているマットレスを提案する。
【００１７】
以上の本発明において、滑性を有するシートとしては、マットレスのタイプに応じて通気性を有するものと、非通気性のものを選択して使用することができる。即ち、側地が非通気性の清拭タイプのマットレスの場合には、滑性を有するシートとしては、通気性、非通気性のいずれのものを使用することができ、また側地が通気性を有する洗浄タイプのマットレスの場合には、通気性を有するものを使用する。
【００１８】
そして後者の場合、滑性と通気性を有するシートとしては、本来的に通気性を有している布や、非通気性又は難通気性のシートに通気孔を形成したものを使用することができる。そして、この場合において、シートの通気性を、側地の通気性よりも大きくすることを提案する。
【発明の効果】
【００１９】
ベッドの背上げ動作において、マットレスは、クッション部の屈曲する部位の上面側が圧縮されて長手方向に短縮するため、クッション部から側地を介して使用者の背部に足方向への押圧力が生じることとなる。
【００２０】
この際、本発明のマットレスにおいては、クッション部の上面と側地間に、滑性を有するシートを介装しているため、上述した押圧力が生じようとすると、使用者の腰部は滑性を有するシートを介装していない側地の部位によりずれが防止されるため、使用者の背部が、滑性を有するシートが介装されている側地の部位と共に頭側方向にずれる。この際、使用者の腰部に対応する部分の、クッション部の上面と側地間に防滑性を有するシートを介装すれば、腰部のずれを更に良好に防止することができる。
【００２１】
以上のように使用者の背部が側地の部位と共に頭側方向にずれることによって、上述した押圧力が緩和されるため、使用者に不快な圧迫力が加わることがなく、また上述したように腰部に対応するマットレスの部位には滑性を有するシートを介装しないか、または防滑性を有するシートを介装することにより、腰部が大きく足方向にずらされてしまうことを防ぐことができる。
【００２２】
ここで、背上げ動作において、使用者の足部を上昇させるように連動動作を行わせる場合には、背上げに際して足が側地に対してずれないので、踵の部位と側地との摩擦は余り問題とならないが、このような連動操作を行わない場合には、背上げ動作に際して、足が側地に対してずれる方向の力が加わるため、踵の部位と側地との摩擦による褥瘡発生の問題が生じる。
【００２３】
このことを考慮して、本発明のマットレスでは、滑性を有するシートを介装する部位は、使用者の背部に対応する部分のみでなく、踵に対応する部分にも介装することができ、こうすることにより、踵の部位と側地との摩擦による褥瘡発生の問題を解決することができる。
【００２４】
一方、本発明のマットレスでは、特許文献１に示されるように、背上げ機構において使用者の背部に加わる力を軽減する機能を有するベッド等に使用するような場合には、使用者の踵に対応する部分の、クッション部の上面と側地間にのみ滑性を有するシートを介装することも可能である。
【００２５】
また本発明のマットレスでは、屈曲する際、側地は、クッション部の屈曲する部位の上面側が圧縮されて長手方向に短縮することにより、その部位において弛むため上述した頭側方向へのずれが阻害されることはなく、そしてずれにより弛みが解消されるため皺が生じることがなく、これによる寝心地の悪化も生じない。
【００２６】
本発明のマットレスにおいて、滑性を有するシートは、上述したとおり、マットレスのタイプに応じて通気性を有するものと、非通気性のものを選択して使用することができる。即ち、側地が非通気性の清拭タイプのマットレスの場合には、滑性を有するシートとしては、通気性、非通気性のいずれのものを使用することができ、また側地が通気性を有する洗浄タイプのマットレスの場合には、通気性を有するものを使用することができる。
【００２７】
通気性のシートとしては、本来的に通気性を有する布の他、非通気性又は難通気性のシートに通気孔を形成したものでも良く、その通気性としては、少なくとも側地の通気性よりも大きくすることにより、シートによるマットレスの通気性の低下を防ぐことができる。
【００２８】
滑性を有するシートは、矩形状に形成して、それをクッション部又は側地のいずれか一方側に固定するようにする他、袋状に形成して、クッション部に、その端部側から嵌合して固定したり、無端帯状に形成して、クッション部に嵌合して固定する方法を採用することもできる。
【００２９】
また滑性を有するシート、また防滑性を有するシートは、マットレスの両面側に対応して介装することができ、この場合には、マットレスの両面側を選択的に使用者の当接側として使用することができる。また滑性を有するシートは、頭側と足側で対称となるように介装することにより、マットレスの頭側と足側を交替して使用することができる。
【００３０】
また滑性を有するシートは、クッション部側と側地側に対応する２枚のシート部が重ねられた構成とすることにより、より滑りやすくすることができる。
【図面の簡単な説明】
【００３１】
【図１】図１は本発明に係るマットレスの一実施形態の構成及び背上げ動作を示す模式的側面図である。
【図２】図２は本発明に係る一実施形態のマットレスを斜め上方から見た一部切欠模式的斜視図である。
【図３】図３は本発明に係るマットレスの他の実施の形態の構成及び背上げ動作を示す模式的側面図である。
【図４】図４は本発明に係るマットレスの更に他の実施形態の要部模式的断面図である。
【図５】図５は本発明に係るマットレスの更に他の実施形態の要部模式的断面図である。
【図６】図６は本発明に係るマットレスの更に他の実施形態の要部模式的断面図である。
【図７】図７は本発明に係るマットレスの更に他の実施形態の一部切欠模式的斜視図である。
【図８】図８は従来のマットレスにおける背上げ動作を示す模式的側面図である。
【発明を実施するための形態】
【００３２】
次に本発明のマットレスの実施の形態を図１〜図７を参照して説明する。
図において、符号１はマットレスを示すもので、このマットレス１は、クッション部２を側地３で覆った構成であり、符号ａ、ｂ、ｃは夫々背部に対応する部分、踵を含む足部に対応する部分、腰部に対応する部分を示すものである。クッション部２は、背上げ動作に対応して屈曲が可能であれば、従来の如何なる構成を採用することもできる。側地３は、マットレスが洗浄タイプの場合には、例えば25cc/cm2・秒以上の通気性を有するニット等の素材を採用することができる。
【００３３】
本発明のマットレス１は、図１、図２に示す実施の形態において、使用者５の背部に対応する部分ａと踵を含む足部に対応する部分ｂにおいて、クッション部２の上面と側地３との間に滑性を有するシート４を介装している。従って、腰部に対応する部分ｃにはシート４は介装していない。これらのシート４はクッション部２又は側地３のいずれか一方側に固定することにより、それ自体のずれを防止することができる。
【００３４】
ここでシート４としては、洗浄タイプのマットレスの場合には、例えば、ナイロンやポリエステルのように摩擦係数が小さくて滑りやすい材質の繊維で構成した通気性を有する布や、滑りやすい樹脂をコーティングした布、又は滑りやすい樹脂のフィルム等を用いることができ、この場合、シート４が、後二者のように非通気性や難通気性の場合には、パンチング加工等により通気孔を形成して必要な通気性を確保することができる。一方、清拭タイプのマットレスの場合には、洗浄タイプと同様な通気性を有するものを使用する他、非通気性や難通気性のものを使用することができる。
【００３５】
以上の構成において、図１に示すようにベッドの背上げ動作を行うと、マットレス１は、上述したように、クッション部２の屈曲する部位の上面側が圧縮されて長手方向に短縮するため、クッション部２から側地３を介して使用者５の背部に足方向への押圧力が生じることとなる。
【００３６】
この際、本発明のマットレス１では、使用者５の背部に対応する部分ａにおいて、クッション部２の上面と側地３との間に滑性を有するシート４を介装しているため、上述した押圧力が生じようとすると、使用者５の腰部はシート４を介装していない側地３の部位によりずれが防止されるため、背部が、滑性を有するシート４が介装されている側地３の部位と共に頭側方向にずれる。
【００３７】
これによって上述した押圧力が緩和されるため、使用者５に不快な圧迫力が加わることがない。また腰部に対応するマットレス１の部位にはシート４を介装していないため、腰部が大きく足方向にずらされてしまうことを防ぐことができる。
【００３８】
腰部のずれに関し、図３に示す実施の形態では、使用者５の腰部に対応する部分ｃの、クッション部２の上面と側地３間に防滑性を有するシート６を介装しており、このような構成により、使用者５の腰部のずれを更に良好に防止することができる。
【００３９】
マットレス１が屈曲する際、側地３はクッション部２の屈曲する部位の上面側が圧縮されて長手方向に短縮することにより、その部位において弛むため、シート４による上述した頭側方向へのずれが阻害されることはなく、そしてずれにより側地３の弛みが解消されるため従来のように皺が生じることがない。そのため皺による寝心地の悪化も生じない。
【００４０】
上述したとおり、本発明のマットレス１では、使用者５の身体を足方向にずらしてしまう要因である押圧力を緩和することにより腰部が大きく足方向にずらされてしまうことは防げるが、ある程度はずれてしまうので、踵を含む足に対応する部分ｂにおいてもクッション部２の上面と側地３との間に滑性を有するシート４を介装することにより、踵の部位と側地３との摩擦による褥瘡の発生を防ぐこともできる。
【００４１】
ここで、図１、図２、図３に示される実施の形態では、シート４は、矩形状に形成して、それをクッション部２又は側地３のいずれか一方側に固定することとしているが、その他、図４に示すように、袋状に形成して、クッション部２に、その端部側から嵌合して固定する構成としたり、又は図５に示すように、無端帯状に形成して、クッション部２に嵌合して固定する構成とすることができる。
【００４２】
またシート４は、図１、図２の実施の形態において、矩形状のシート４をクッション部２の下面にも介装した場合や、図４、図５の実施の形態のように、マットレス１の両面側に対応して介装することができ、この場合には、マットレス１の両面側を選択的に使用者の当接側として使用することができる。同様に、図３の実施の形態において、シート６をクッション部２の下面にも介装することができる。また図１、図２、図３の実施の形態のように、マットレス１の頭側と足側で対称となるようにシート４を介装することにより、マットレス１の頭側と足側を交替して使用することができる。
【００４３】
更に本発明では、図６又は図７に示すように、シート４は、クッション部２側と側地３側に対応する２枚のシート部４ｕ、４ｖが重ねられた構成とすることにより、より滑りやすくすることができる。この構成において、シート４を構成するシート部の枚数は、３枚以上であっても良い。また、シート４を構成する複数枚のシート部は、クッション部２側と側地３側に対応するものを、夫々クッション部２と側地３に固定する他、例えば図７に示すように複数枚のシート部、この場合、シート部４ｕ、４ｖが一体に構成されている場合には、いずれか一方側のみを対応するクッション部２又は側地３に固定することもできる。
【産業上の利用可能性】
【００４４】
本発明のマットレスは以上に説明したとおり、特殊な背上げ機構は不要であり、また各種のクッション部の選択も可能であり、しかもマットレスとして一体に構成されて、背上げ動作における使用者に加わる力を軽減することができるマットレスを提供することができるものである。
【００４５】
従って本発明のマットレスは、いかなる背上げ機構のベッドにも利用できるし、クッション部も屈曲可能であれば、適宜の構成のものを利用でき、非常に広い範囲に適用可能である。
【符号の説明】
【００４６】
１                マットレス
２                クッション部
３                側地
４、４ｕ、４ｖ    滑性を有するシート
５                使用者
６                防滑性を有するシート
ａ                背部に対応する部分
ｂ                踵を含む足に対応する部分
ｃ                腰に対応する部分
１０              使用者
１１              マットレス
１２              クッション部
１３              屈曲する部位
１４              側地
１５              皺
【図１】
0005751666.tif 000002
【図２】
0005751666.tif 000003
【図３】
0005751666.tif 000004
【図４】
0005751666.tif 000005
【図５】
0005751666.tif 000006
【図６】
0005751666.tif 000007
【図７】
0005751666.tif 000008
【図８】
0005751666.tif 000009